(57)【要約】【課題】本発明は日焼け防止サイクリングマスクを開示した。【解決手段】外側マスクを含み、内側マスクが外側マスクの中から取り出されることができ、マスクを頭につけた後、緊束ベルトに結び目を作ってきつく束ね、サイクリングする時に風が強い場合に風よけレンズを上に引き、目に強風をよけ、マスクの本体部分に二層のマスクを設置し、異なった環境に対応でき、サイクリングする時に風が強い時に目の部分に風をよけることができ、日をよけることができ、かぶる時の面倒なステップを減らし、頭部への負担を減らし、吸い込んだ空気をクリーニングし、暑い感じを減らす。【選択図】図１
2020180416.tif 000002
【特許請求の範囲】
【請求項１】
外側マスクを含み、前記外側マスクにはマスク機能部品が固定的に設けられ、前記マスク機能部品は上下にスライドできて風よけ用の風よけレンズと、前記外側マスクに設けられた呼吸用の吸気口を含み、前記吸気口の中にはストレーナーが設けられ、前記外側マスクの内側には取り外すことができる内側マスクが固定的に取り付けられ、前記外側マスクには固定ブロックが前後に対称的に固定的に取り付けられ、前記固定ブロックが日焼け防止部品と連結され、前記日焼け防止部品は日よけできる日よけつばと前記日よけつばにスライドできるように係合し取り付けられた広げつばとを含み、前記日焼け防止部品は前記固定ブロックと回転できるように取り付けられた挟み殼も含み、前記挟み殼の中にはスライド溝Ａが設けられ、前記スライド溝Ａの中には支持ロッドがスライドできるように係合し取り付けられ、前記スライド溝Ａの中の前記支持ロッドの長さをコントロールすることができ、前記支持ロッドの頂部末端と前記日よけつばとが固定的に連結されることを特徴とする日焼け防止サイクリングマスク。
【請求項２】
前記マスク機能部品は前記外側マスクの中に設けられたレンズチャンバも含み、前記レンズチャンバの中には位置制限ブロックＡがスライドできるように係合し取り付けられ、前記風よけレンズが前記位置制限ブロックＡに固定的に取り付けられ、前記風よけレンズと前記外側マスクとがスライドできるように係合し取り付けられ、前記風よけレンズの頂部端面には引きヘッドが固定的に取り付けられ、且つ前記風よけレンズが前記外側マスクの頂部端面を貫通しており、前記レンズチャンバの左右内壁の中には前記レンズチャンバと連通している圧着溝が設けられ、前記圧着溝の前後内壁の間には圧着爪がヒンジによって係合し取り付けられ、前記圧着爪と前記圧着溝の片側内壁との間にはトーションバネが固定的に取り付けられ、前記圧着爪にはゴムブロックが固定的に取り付けられ、前記ゴムブロックと前記風よけレンズとがスライドできるように係合され、前記内側マスクが前記外側マスクの中に固定的に取り付けられ、前記内側マスクには保護綿が固定的に取り付けられ、前記外側マスクには緊束穴が設けられ、前記緊束穴には緊束ベルトが固定的に連結され、これにより内側マスクが外側マスクの中から取り出されることができ、マスクを頭につけた後、緊束ベルトに結び目を作ってきつく束ね、サイクリングする時に風が強い場合に風よけレンズを上に引き、目に強風をよけることを特徴とする請求項１に記載の日焼け防止サイクリングマスク。
【請求項３】
前記日焼け防止部品は前記固定ブロックの片側端面に回転できるように係合し取り付けられた回転ピンも含み、前記回転ピンが前記外側マスクに固定的に取り付けられ、前記挟み殼が前記回転ピンに回転できるように係合し取り付けられ、前記スライド溝Ａが前記挟み殼の中に設けられ、前記挟み殼の前側端面には前記スライド溝Ａと連通しているスライド溝Ｂが設けられ、前記スライド溝Ｂにはスライド溝Ｃが設けられ、前記スライド溝Ｂの中には調節スライドブロックがスライドできるように係合し取り付けられ、前記調節スライドブロックの左右両端面にはスライドピンが固定的に取り付けられ、前記スライドピンと前記スライド溝Ｃとがスライドできるように係合し取り付けられ、前記支持ロッドの歯と前記調節スライドブロックの歯と固定することができ、前記日よけつばの右側末端には挟み口が固定的に取り付けられ、前記日よけつばの中にはつばスライド溝が設けられ、前記つばスライド溝の中には位置制限ブロックＢがスライドできるように係合し取り付けられ、前記広げつばが前記位置制限ブロックＢの左側端面に固定的に取り付けられ、前記広げつばが前記日よけつばとスライドできるように係合し取り付けられ、且つ左へ前記日よけつばの左側端面を貫通しており、これにより支持ロッドをスライド溝Ａの中に挿し、調節スライドブロックを下に運動させて支持ロッドを固定し、マスクをつけた後に直接に日よけつばを頭にかぶり、広げつばを左に引くことによって日よけつばの日よけ面積を増やすことができることを特徴とする請求項１に記載の日焼け防止サイクリングマスク。
【発明の詳細な説明】
【技術分野】
【０００１】
本発明は生活用品分野を取り上げて、具体的には日焼け防止サイクリングマスクである。
【背景技術】
【０００２】
一般的に人々は外でサイクリングする時にサイクリングマスクを使い、現在使用されているサイクリングマスクの機能が比較的に単一であり、特に晴れた天気では、マスクをつけた後に呼吸が普通より快適ではなく、マスクをつけると熱く感じるため、日よけ帽子をかぶる必要があり、非常に面倒であり、また、かぶるものが多ければ多くほど頭部への負担が重くなり、従って、日焼け防止できるサイクリングマスクが必要とされ、人の暑い感じを減らし、頭部への負担を減らす。
【先行技術文献】
【特許文献】
【０００３】
【特許文献１】中国特許出願公開第１０９４３０９７１号明細書
【発明の概要】
【発明が解決しようとする課題】
【０００４】
本発明の目的は日焼け防止サイクリングマスクを提供し、それは上記の現在の技術中の問題を解決できる。
【課題を解決するための手段】
【０００５】
本発明の日焼け防止サイクリングマスクは、外側マスクを含み、前記外側マスクにはマスク機能部品が固定的に設けられ、前記マスク機能部品は上下にスライドできて風よけ用の風よけレンズと、前記外側マスクに設けられた呼吸用の吸気口を含み、前記吸気口の中にはストレーナーが設けられ、前記外側マスクの内側には取り外すことができる内側マスクが固定的に取り付けられ、前記外側マスクには固定ブロックが前後に対称的に固定的に取り付けられ、前記固定ブロックが日焼け防止部品と連結され、前記日焼け防止部品は日よけできる日よけつばと前記日よけつばにスライドできるように係合し取り付けられた広げつばとを含み、前記日焼け防止部品は前記固定ブロックと回転できるように取り付けられた挟み殼も含み、前記挟み殼の中にはスライド溝Ａが設けられ、前記スライド溝Ａの中には支持ロッドがスライドできるように係合し取り付けられ、前記スライド溝Ａの中の前記支持ロッドの長さをコントロールすることができ、前記支持ロッドの頂部末端と前記日よけつばとが固定的に連結される。
【０００６】
更の技術プラン、前記マスク機能部品は前記外側マスクの中に設けられたレンズチャンバも含み、前記レンズチャンバの中には位置制限ブロックＡがスライドできるように係合し取り付けられ、前記風よけレンズが前記位置制限ブロックＡに固定的に取り付けられ、前記風よけレンズと前記外側マスクとがスライドできるように係合し取り付けられ、前記風よけレンズの頂部端面には引きヘッドが固定的に取り付けられ、且つ前記風よけレンズが前記外側マスクの頂部端面を貫通しており、前記レンズチャンバの左右内壁の中には前記レンズチャンバと連通している圧着溝が設けられ、前記圧着溝の前後内壁の間には圧着爪がヒンジによって係合し取り付けられ、前記圧着爪と前記圧着溝の片側内壁との間にはトーションバネが固定的に取り付けられ、前記圧着爪にはゴムブロックが固定的に取り付けられ、前記ゴムブロックと前記風よけレンズとがスライドできるように係合され、前記内側マスクが前記外側マスクの中に固定的に取り付けられ、前記内側マスクには保護綿が固定的に取り付けられ、前記外側マスクには緊束穴が設けられ、前記緊束穴には緊束ベルトが固定的に連結される。
【０００７】
更の技術プラン、前記日焼け防止部品は前記固定ブロックの片側端面に回転できるように係合し取り付けられた回転ピンも含み、前記回転ピンが前記外側マスクに固定的に取り付けられ、前記挟み殼が前記回転ピンに回転できるように係合し取り付けられ、前記スライド溝Ａが前記挟み殼の中に設けられ、前記挟み殼の前側端面には前記スライド溝Ａと連通しているスライド溝Ｂが設けられ、前記スライド溝Ｂにはスライド溝Ｃが設けられ、前記スライド溝Ｂの中には調節スライドブロックがスライドできるように係合し取り付けられ、前記調節スライドブロックの左右両端面にはスライドピンが固定的に取り付けられ、前記スライドピンと前記スライド溝Ｃとがスライドできるように係合し取り付けられ、前記支持ロッドの歯と前記調節スライドブロックの歯と固定することができ、前記日よけつばの右側末端には挟み口が固定的に取り付けられ、前記日よけつばの中にはつばスライド溝が設けられ、前記つばスライド溝の中には位置制限ブロックＢがスライドできるように係合し取り付けられ、前記広げつばが前記位置制限ブロックＢの左側端面に固定的に取り付けられ、前記広げつばが前記日よけつばとスライドできるように係合し取り付けられ、且つ左へ前記日よけつばの左側端面を貫通している。
【発明の効果】
【０００８】
本発明はマスクの本体部分に二層のマスクを設置し、異なった環境に対応でき、サイクリングする時に風が強い時に目の部分に風をよけることができ、日をよけることができ、かぶる時の面倒なステップを減らし、頭部への負担を減らし、吸い込んだ空気をクリーニングし、暑い感じを減らし、普及価値がある。
【図面の簡単な説明】
【０００９】
【図１】図１は本発明の全体構成略図
【図２】図２は図１のＡ−Ａの断面構成略図
【図３】図３は図１のＢの拡大構成略図
【発明を実施するための形態】
【００１０】
以下、図１−３を合わせて本発明について詳しく説明し、また、説明の便利を図るため、下記に記載の上下左右前後方向が図１自身の投影関係の上下左右前後方向と一致することにする。
【００１１】
図１−３を参照し、本発明の日焼け防止サイクリングマスクは、外側マスク１０を含み、前記外側マスク１０にはマスク機能部品８０が固定的に設けられ、前記マスク機能部品８０は上下にスライドできて風よけ用の風よけレンズ３１と、前記外側マスク１０に設けられた呼吸用の吸気口１１を含み、前記吸気口１１の中にはストレーナーが設けられ、前記外側マスク１０の内側には取り外すことができる内側マスク２８が固定的に取り付けられ、前記外側マスク１０には固定ブロック２７が前後に対称的に固定的に取り付けられ、前記固定ブロック２７が日焼け防止部品８１と連結され、前記日焼け防止部品８１は日よけできる日よけつば１２と前記日よけつば１２にスライドできるように係合し取り付けられた広げつば１４とを含み、前記日焼け防止部品８１は前記固定ブロック２７と回転できるように取り付けられた挟み殼１８も含み、前記挟み殼１８の中にはスライド溝Ａ２５が設けられ、前記スライド溝Ａ２５の中には支持ロッド１７がスライドできるように係合し取り付けられ、前記スライド溝Ａ２５の中の前記支持ロッド１７の長さをコントロールすることができ、前記支持ロッド１７の頂部末端と前記日よけつば１２とが固定的に連結される。
【００１２】
前記マスク機能部品８０は前記外側マスク１０の中に設けられたレンズチャンバ３０も含み、前記レンズチャンバ３０の中には位置制限ブロックＡ３２がスライドできるように係合し取り付けられ、前記風よけレンズ３１が前記位置制限ブロックＡ３２に固定的に取り付けられ、前記風よけレンズ３１と前記外側マスク１０とがスライドできるように係合し取り付けられ、前記風よけレンズ３１の頂部端面には引きヘッド３３が固定的に取り付けられ、且つ前記風よけレンズ３１が前記外側マスク１０の頂部端面を貫通しており、前記レンズチャンバ３０の左右内壁の中には前記レンズチャンバ３０と連通している圧着溝３４が設けられ、前記圧着溝３４の前後内壁の間には圧着爪３５がヒンジによって係合し取り付けられ、前記圧着爪３５と前記圧着溝３４の片側内壁との間にはトーションバネ３６が固定的に取り付けられ、前記圧着爪３５にはゴムブロック３７が固定的に取り付けられ、前記ゴムブロック３７と前記風よけレンズ３１とがスライドできるように係合され、前記内側マスク２８が前記外側マスク１０の中に固定的に取り付けられ、前記内側マスク２８には保護綿２９が固定的に取り付けられ、前記外側マスク１０には緊束穴２４が設けられ、前記緊束穴２４には緊束ベルト２３が固定的に連結され、これにより内側マスク２８が外側マスク１０の中から取り出されることができ、マスクを頭につけた後、緊束ベルト２３に結び目を作ってきつく束ね、サイクリングする時に風が強い場合に風よけレンズ３１を上に引き、目に強風をよける。
【００１３】
前記日焼け防止部品８１は前記固定ブロック２７の片側端面に回転できるように係合し取り付けられた回転ピン２６も含み、前記回転ピン２６が前記外側マスク１０に固定的に取り付けられ、前記挟み殼１８が前記回転ピン２６に回転できるように係合し取り付けられ、前記スライド溝Ａ２５が前記挟み殼１８の中に設けられ、前記挟み殼１８の前側端面には前記スライド溝Ａ２５と連通しているスライド溝Ｂ１９が設けられ、前記スライド溝Ｂ１９にはスライド溝Ｃ２１が設けられ、前記スライド溝Ｂ１９の中には調節スライドブロック２０がスライドできるように係合し取り付けられ、前記調節スライドブロック２０の左右両端面にはスライドピン２２が固定的に取り付けられ、前記スライドピン２２と前記スライド溝Ｃ２１とがスライドできるように係合し取り付けられ、前記支持ロッド１７の歯と前記調節スライドブロック２０の歯と固定することができ、前記日よけつば１２の右側末端には挟み口１６が固定的に取り付けられ、前記日よけつば１２の中にはつばスライド溝１３が設けられ、前記つばスライド溝１３の中には位置制限ブロックＢ１５がスライドできるように係合し取り付けられ、前記広げつば１４が前記位置制限ブロックＢ１５の左側端面に固定的に取り付けられ、前記広げつば１４が前記日よけつば１２とスライドできるように係合し取り付けられ、且つ左へ前記日よけつば１２の左側端面を貫通しており、これにより支持ロッド１７をスライド溝Ａ２５の中に挿し、調節スライドブロック２０を下に運動させて支持ロッド１７を固定し、マスクをつけた後に直接に日よけつば１２を頭にかぶり、広げつば１４を左に引くことによって日よけつば１２の日よけ面積を増やすことができる。
【００１４】
使用する時：内側マスク２８が外側マスク１０の中から取り出されることができ、マスクを頭につけた後、緊束ベルト２３に結び目を作ってきつく束ね、マスクをつけた後に支持ロッド１７をスライド溝Ａ２５の中に挿し、調節スライドブロック２０を下に運動させて支持ロッド１７を固定し、直接に日よけつば１２を頭にかぶり、上に調節スライドブロック２０を押して、調節ブロック２０を支持ロッド１７から離れさせ、支持ロッド１７の上下の高さを調節でき、かぶりに対応でき、サイクリングする時に風が強い場合に風よけレンズ３１を上に引き、目に強風をよけ、広げつば１４を左に引くことによって日よけつば１２の日よけ面積を増やすことができる。
【００１５】
本発明の有益効果は：本発明はマスクの本体部分に二層のマスクを設置し、異なった環境に対応でき、サイクリングする時に風が強い時に目の部分に風をよけることができ、日をよけることができ、かぶる時の面倒なステップを減らし、頭部への負担を減らし、吸い込んだ空気をクリーニングし、暑い感じを減らし、普及価値がある。
【００１６】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020180416.tif 000003
【図２】
2020180416.tif 000004
【図３】
2020180416.tif 000005